(57)【特許請求の範囲】
【請求項１】
加熱手段と、
前記加熱手段への電力供給をオン・オフ操作する主電源スイッチと、
前記加熱手段による加熱調理に関する操作の入力を行う複数の操作スイッチと、
所定のガイド情報を使用者に報知する報知手段と、
初心者モードまたは習熟者モードを選択し、選択した最新のモードに応じて前記ガイド情報の出力方法を制御するとともに、前記操作スイッチが所定の順序で操作されたとき、当該操作スイッチの操作に応じて前記加熱手段を制御する制御部と
を備え、
前記制御部は、
前記主電源スイッチのオン操作から、前記操作スイッチにより加熱調理に関する第１の所定操作が入力されるまでの第１の時間と、
前記第１の所定操作の入力から、前記操作スイッチにより加熱調理に関する第２の所定操作が入力されるまでの第２の時間とに応じて、前記初心者モードまたは前記習熟者モードを選択し、
前記習熟者モードを選択している状態において、
前記各操作スイッチのうち、任意の操作スイッチが操作された後、当該操作スイッチの次の順序となる１または複数の操作スイッチ以外の操作スイッチが操作されたとき、前記初心者モードを選択する
ことを特徴とする加熱調理器。
【請求項２】
前記制御部は、
前記第１の時間と前記第２の時間とを加算した合計時間が所定値以上の場合、前記初心者モードを選択し、前記所定値未満の場合、前記習熟者モードを選択する
ことを特徴とする請求項１記載の加熱調理器。
【請求項３】
前記制御部は、
前記主電源スイッチがオン操作されたとき、前記初心者モードを選択する
ことを特徴とする請求項１または２記載の加熱調理器。
【請求項４】
前記制御部は、
前記主電源スイッチがオン操作されたとき、前記習熟者モードを選択する
ことを特徴とする請求項１または２記載の加熱調理器。
【請求項５】
前記制御部が選択した前記初心者モードまたは前記習熟者モードの何れかのモードの情報を記憶する記憶部を備え、
前記制御部は、
前記主電源スイッチがオン操作されたとき、前記記憶部に記憶されたモードを選択する
ことを特徴とする請求項１または２記載の加熱調理器。
【請求項６】
前記制御部は、
前記初心者モードまたは前記習熟者モードを選択した後、前記操作スイッチにより加熱調理に関する第３の所定操作が入力され、前記操作スイッチにより加熱調理に関する第４の所定操作が入力された場合、
前記第３の所定操作が入力されてから前記第４の所定操作が入力されるまでの第３の時間を求め、
前記第１の時間と前記第３の時間とに応じて、前記初心者モードまたは前記習熟者モードを選択する
ことを特徴とする請求項１〜５の何れか１項に記載の加熱調理器。
【請求項７】
加熱手段と、
前記加熱手段による加熱調理に関する操作の入力を行う複数の操作スイッチと、
所定のガイド情報を使用者に報知する報知手段と、
初心者モードまたは習熟者モードを選択し、選択した最新のモードに応じて前記ガイド情報の出力方法を制御するとともに、前記操作スイッチが所定の順序で操作されたとき、当該操作スイッチの操作に応じて前記加熱手段を制御する制御部と
を備え、
前記制御部は、
前記操作スイッチにより加熱調理に関する第１の所定操作が入力されてから、前記操作スイッチにより加熱調理に関する第２の所定操作が入力されるまでの時間に応じて、前記初心者モードまたは前記習熟者モードを選択し、
前記習熟者モードを選択している状態において、
前記各操作スイッチのうち、任意の操作スイッチが操作された後、当該操作スイッチの次の順序となる１または複数の操作スイッチ以外の操作スイッチが操作されたとき、前記初心者モードを選択する
ことを特徴とする加熱調理器。
【請求項８】
前記制御部は、
前記初心者モードまたは前記習熟者モードを選択した後、前記操作スイッチにより加熱調理に関する第３の所定操作が入力され、前記操作スイッチにより加熱調理に関する第４の所定操作が入力された場合、
前記第３の所定操作が入力されてから前記第４の所定操作が入力されるまでの時間に応じて、前記初心者モードまたは前記習熟者モードを選択する
ことを特徴とする請求項７記載の加熱調理器。
【請求項９】
前記制御部は、
前記習熟度モードを選択している場合、
前記操作スイッチによる加熱調理に関する操作の時間間隔に応じて、複数の習熟度レベルの何れかを選択し、選択した前記習熟者モードの前記習熟度レベルに応じて、前記ガイド情報の出力方法を制御する
ことを特徴とする請求項１〜８の何れか１項に記載の加熱調理器。
【請求項１０】
前記制御部は、
選択したモードに関する情報を、前記報知手段により使用者に報知させる
ことを特徴とする請求項１〜９の何れか１項に記載の加熱調理器。
【請求項１１】
前記操作スイッチの下方または近傍に配置された表示灯を備え、
前記制御部は、
前記初心者モードを選択している状態において、
前記各操作スイッチのうち、任意の操作スイッチが操作された後、当該操作スイッチの次に操作が可能となる１または複数の操作スイッチの前記表示灯を、点灯または点滅させる
ことを特徴とする請求項１〜１０の何れか１項に記載の加熱調理器。
【請求項１２】
前記制御部は、
前記ガイド情報として、少なくとも、加熱経過時間、火力情報、および火力の情報を前記報知手段により報知させる
ことを特徴とする請求項１〜１１の何れか１項に記載の加熱調理器。
【請求項１３】
前記制御部は、
前記初心者モードにおいて、前記習熟者モードでのガイド情報に初心者モード用の所定のガイド情報を追加し、前記習熟者モードでのガイド情報の内容を変更した内容のガイド情報を出力するように、前記ガイド情報の出力方法を制御する
ことを特徴とする請求項１〜１２の何れか１項に記載の加熱調理器。
【発明の詳細な説明】
【技術分野】
【０００１】
本発明は、加熱調理器に関する。
【背景技術】
【０００２】
従来の加熱調理器においては、例えば、「所定の情報を音声で使用者に通知する音声ガイド機能を備えた誘導加熱調理器において、１以上のスイッチを含む操作部と、音声ガイドとして出力される音声情報を記憶する記憶部と、前記記憶部に記憶されている音声情報を音声ガイドとして出力する音声出力部と、前記音声出力部から出力される音声ガイドの出力方法を制御する制御部と、を有し、前記操作部は、通常モード及び初心者モードを含む複数のモードの中からいずれかのモードを選択するためのモード選択スイッチを有し、前記制御部は、前記モード選択スイッチによって選択されているモードに応じて音声ガイドの出力方法を切り換える」ものが提案されている（例えば、特許文献１参照）。
【先行技術文献】
【特許文献】
【０００３】
【特許文献１】特開２００９−１９３８２２号公報（請求項１）
【発明の概要】
【発明が解決しようとする課題】
【０００４】
従来の加熱調理器では、使用者は自身で習熟度を判断して、ガイド機能のモードを選択するためのモード選択スイッチを自身の習熟度に応じて操作する必要がある。
しかし、全くの初心者以外は、使用者は自身の習熟度を判断することが難しく、使用者にとって適切なガイド機能のモードを設定することができない、という問題点があった。
また、使用者は自身の習熟度を判断することが難しいため、ガイド機能のモードが切り替え可能な構成であっても、モードの切り替え操作が行われる機会は少なかった。
【０００５】
本発明は、上記のような課題を解決するためになされたもので、使用者にとって適切なガイド機能のモードを設定することができる加熱調理器を得るものである。
【課題を解決するための手段】
【０００６】
本発明に係る加熱調理器は、加熱手段と、前記加熱手段への電力供給をオン・オフ操作する主電源スイッチと、前記加熱手段による加熱調理に関する操作の入力を行う複数の操作スイッチと、所定のガイド情報を使用者に報知する報知手段と、初心者モードまたは習熟者モードを選択し、選択した最新のモードに応じて前記ガイド情報の出力方法を制御するとともに、前記操作スイッチが所定の順序で操作されたとき、当該操作スイッチの操作に応じて前記加熱手段を制御する制御部とを備え、前記制御部は、前記主電源スイッチのオン操作から、前記操作スイッチにより加熱調理に関する第１の所定操作が入力されるまでの第１の時間と、前記第１の所定操作の入力から、前記操作スイッチにより加熱調理に関する第２の所定操作が入力されるまでの第２の時間とに応じて、前記初心者モードまたは前記習熟者モードを選択し、前記習熟者モードを選択している状態において、前記各操作スイッチのうち、任意の操作スイッチが操作された後、当該操作スイッチの次の順序となる１または複数の操作スイッチ以外の操作スイッチが操作されたとき、前記初心者モードを選択するものである。
【０００７】
本発明に係る加熱調理器は、加熱手段と、前記加熱手段による加熱調理に関する操作の入力を行う複数の操作スイッチと、所定のガイド情報を使用者に報知する報知手段と、初心者モードまたは習熟者モードを選択し、選択した最新のモードに応じて前記ガイド情報の出力方法を制御するとともに、前記操作スイッチが所定の順序で操作されたとき、当該操作スイッチの操作に応じて前記加熱手段を制御する制御部とを備え、前記制御部は、前記操作スイッチにより加熱調理に関する第１の所定操作が入力されてから、前記操作スイッチにより加熱調理に関する第２の所定操作が入力されるまでの時間に応じて、前記初心者モードまたは前記習熟者モードを選択し、前記習熟者モードを選択している状態において、前記各操作スイッチのうち、任意の操作スイッチが操作された後、当該操作スイッチの次の順序となる１または複数の操作スイッチ以外の操作スイッチが操作されたとき、前記初心者モードを選択するものである。
【発明の効果】
【０００８】
本発明は、加熱調理に関する操作の時間に応じて初心者モードまたは習熟者モードを選択する。このため、使用者にとって適切なガイド機能のモードを設定することができる。
【図面の簡単な説明】
【０００９】
【図１】本発明の実施の形態１に係る加熱調理器の斜視図である。
【図２】本発明の実施の形態１に係る加熱調理器の上面図である。
【図３】本発明の実施の形態１に係る操作部を示す図である。
【図４】本発明の実施の形態１に係る加熱調理器のブロック構成図である。
【図５】本発明の実施の形態１に係る電源オン時のモード判定処理を示すフローチャートである。
【図６】本発明の実施の形態２に係る調理中のモード判定処理を示すフローチャートである。
【図７】本発明の実施の形態５に係る操作部を示す図である。
【発明を実施するための形態】
【００１０】
実施の形態１．
図１は本発明の実施の形態１に係る加熱調理器の斜視図である。
図２は本発明の実施の形態１に係る加熱調理器の上面図である。
図１、図２において、本実施の形態１に係る加熱調理器は、天面が開口された箱状の本体１の上面に、耐熱性のガラスと金属の枠体とで構成するトッププレート２が取り付けられるように構成されている。このトッププレート２には、鍋やフライパンなどの被加熱物が載置される。
本体１内には、トッププレート２に載置された被加熱物を誘導加熱する誘導加熱コイル３Ｒ、３Ｌが設けられている。
また、トッププレート２の表面には、本体１内の誘導加熱コイル３Ｒ、３Ｌが配設される位置に、加熱領域を示す目的で円形の表示（加熱口４Ｒ、４Ｌ）が形成されている。トッププレート２の右側には加熱口４Ｒが形成され、左側には加熱口４Ｌが形成される。
【００１１】
なお、本実施の形態では加熱口４が２つの場合を説明するが、本発明はこれに限るものではない。例えばトッププレート２の中央後方にさらに加熱口を設ける構成としても良いし、加熱口４が１つであっても良い。また、複数の加熱口のうち任意の加熱口について、輻射によって加熱する輻射型熱源を用いる電気ヒーター（例えばニクロム線やハロゲンヒーター、ラジェンドヒーター等）を用いるようにしても良い。
【００１２】
トッププレート２の上面手前側には、加熱調理に関する操作を入力する操作部５が設けられている。
操作部５は、例えば、メンブレンシートを用いた接点ボタンにより構成され、使用者により接点ボタンが押下されることにより、加熱制御に関する入力操作を検知する。
なお、操作部５は、メンブレンシートを用いた接点ボタンに限らず、例えば透明性の導電性フィルムなどの電極で構成したタッチスイッチにより構成し、使用者の指などが電極の配置位置に接触する際における静電容量の変化により入力操作を検知するようにしても良い。
操作部５の詳細は後述する。
【００１３】
また、トッププレート２の上面手前側には、表示部６が設けられている。
この表示部６は、例えば、液晶（ＬＣＤ）や各種発光素子（ＬＥＤなど）、有機電界発光（Electro  Luminescence：ＥＬ）素子などにより構成することができる。
表示部６は、トッププレート２の左右方向の中央部に配置された中央表示部６０と、加熱口４Ｒの手前側に配置された火力表示部６１Ｒおよび右表示部６２Ｒと、加熱口４Ｌの手前側に配置された火力表示部６１Ｌおよび左表示部６２Ｌとを備える。
中央表示部６０は、加熱調理に関する設定情報や、調理モードの選択表示、自動調理の進行状況、警告表示などが表示される。
火力表示部６１Ｒ、６１Ｌは、対応する誘導加熱コイル３の投入火力などを表示する。
右表示部６２Ｒ、左表示部６２Ｌは、例えばタイマー調理における時間表示や揚げ物調理モードにおける温度表示など、対応する誘導加熱コイル３に係る加熱調理に関する情報を表示する。
【００１４】
また、トッププレート２の後方には、本体１内部と連通し、本体１内部に外気を取り込むための吸気口２０Ｒ、２０Ｌが設けられている。また、トッププレート２の後方中央には、本体１内部と連通し、本体１内部に取り込んだ空気を吹き出し排出するための排気口２１が設けられている。
また、吸気口２０Ｒ、２０Ｌおよび排気口２１の上部には、通気性を有するカバー２２を設けて、本体１内部への埃や異物侵入を防止している。
【００１５】
本体１の中央下部には魚等の調理を行うためのグリル庫３０が設けられている。
また、グリル庫３０内には、庫内に載置された被調理物を加熱するための熱源となるグリルヒーター３１（図示せず）が備えられている。このグリルヒーター３１は、例えばシーズヒーター等からなり、グリル庫３０内の上部および下部に配置される。
また、グリル庫３０の前面にはグリル扉３２が設けられ、グリル扉３２にはグリル庫３０の内部を視認できるよう視認窓３３が設けられている。また、グリル扉３２の最前面には使い勝手の良いようにグリル把持部３４が設けられている。また、グリル庫３０の内部において加熱時に排出される煙等の排気風は、本体１の奥部に設けた排気口２１より排気される。
なお、ここでは本体１の中央にグリル庫３０を設ける場合を説明するが、本発明はこれに限るものではない。例えばグリル庫３０を本体１の左側下部に設けるようにしても良い。
【００１６】
なお、「誘導加熱コイル３Ｒ」、「誘導加熱コイル３Ｌ」、および「グリルヒーター３１」は、本発明における「加熱手段」に相当する。
【００１７】
図３は本発明の実施の形態１に係る操作部を示す図である。
図３に示すように、操作部５は、加熱調理器の主電源をオン・オフ操作する主電源スイッチ５０と、誘導加熱コイル３Ｒの加熱調理に関する操作を行う右ＩＨ操作部５Ｒと、誘導加熱コイル３Ｌの加熱調理に関する操作を行う左ＩＨ操作部５Ｌと、グリル庫３０の加熱調理に関する操作を行うグリル操作部５Ｇとにより構成されている。
また、右ＩＨ操作部５Ｒ、左ＩＨ操作部５Ｌ、グリル操作部５Ｇは、それぞれ、操作対象となる加熱口４、グリル庫３０に対応する位置に配置されている。すなわち、トッププレート２の上面前部において、本体１の左右中心線を挟んで、右側には右ＩＨ操作部５Ｒが配置され、中央部にはグリル操作部５Ｇが配置され、左側には左ＩＨ操作部５Ｌが配置されている。
【００１８】
右ＩＨ操作部５Ｒは、誘導加熱コイル３Ｒによる加熱調理の開始・停止操作をする切入スイッチ５１Ｒと、誘導加熱コイル３Ｒによる加熱調理の火力を設定する火力設定スイッチ５２Ｒと、所望の時間経過後に加熱調理を停止させるタイマー調理モードの設定・実行をする切タイマースイッチ５３とを備えている。
【００１９】
左ＩＨ操作部５Ｌは、誘導加熱コイル３Ｌによる加熱調理の開始・停止操作をする切入スイッチ５１Ｌと、誘導加熱コイル３Ｌによる加熱調理の火力を設定する火力設定スイッチ５２Ｌと、被加熱物を所望の温度に加熱する調理モードである揚げ物調理の設定・実行をする揚げ物スイッチ５４とを備えている。
【００２０】
グリル操作部５Ｇは、グリルヒーター３１による加熱調理の開始・停止操作をする切入スイッチ５１Ｇと、グリルヒーター３１による加熱調理に関する設定を入力する手動調理スイッチ５５および自動調理スイッチ５６とを備えている。
また、手動調理スイッチ５５は、使用者の任意の操作によりグリルヒーター３１の火力を調節する焼き加減スイッチと、所望の時間経過後にグリル庫の加熱調理を停止させる切りタイマースイッチとを備えている。
また、自動調理スイッチ５６は、予め設定された所定の加熱調理を実行させる姿焼きスイッチおよび切身ひものスイッチを備えている。
【００２１】
なお、「切入スイッチ５１Ｒ、５１Ｌ、５１Ｇ」、「火力設定スイッチ５２Ｒ、５２Ｌ」、「切タイマースイッチ５３」、「揚げ物スイッチ５４」、「手動調理スイッチ５５」、および「自動調理スイッチ５６」は、本発明における「操作スイッチ」に相当する。以下、これらのスイッチを「操作スイッチ」ともいう。
【００２２】
図４は本発明の実施の形態１に係る加熱調理器のブロック構成図である。
図４に示すように、本体１の内部には、制御部１００、インバーター回路１１０Ｒ、１１０Ｌ、グリルヒーター駆動回路１１１、表示部駆動回路１１２、スピーカー１１３、および電源部２００を備えている。
【００２３】
制御部１００は、操作部５からの操作信号や図示しない各種センサーからの検知信号が入力され、予め設定されたプログラム等に従って各構成部を制御するものである。
この制御部１００には、定電圧回路（図示せず）を介して直流電源が供給される。
【００２４】
電源部２００は、制御部１００からの制御に応じて、商用電源からの電力をインバーター回路１１０Ｒ、１１０Ｌ、グリルヒーター駆動回路１１１、および図示しない定電圧回路等に供給する。
【００２５】
インバーター回路１１０Ｒは、制御部１００からの加熱指令に応じて、電源部２００から供給される電力を変換し、誘導加熱コイル３Ｒと共振コンデンサＣとを接続した回路に、高周波電流を供給する。
インバーター回路１１０Ｌは、制御部１００からの加熱指令に応じて、電源部２００から供給される電力を変換し、誘導加熱コイル３Ｌと共振コンデンサＣとを接続した回路に、高周波電流を供給する。
なお、電源部２００から各インバーター回路１１０への電力供給は、制御部１００からの制御により、各インバーター回路１１０ごとにオンオフ制御がなされる。
【００２６】
誘導加熱コイル３Ｒ、３Ｌは、渦巻状に巻かれたコイルにより構成され、各インバーター回路１１０から高周波電流が供給されることにより、トッププレート２に載置された被加熱物を誘導加熱する。
【００２７】
グリルヒーター駆動回路１１１は、制御部１００からの加熱指令に応じて、グリル庫３０内のグリルヒーター３１を駆動する。
表示部駆動回路１１２は、制御部１００からの指示に従い、例えばＬＣＤにより構成された表示部６を駆動する。
【００２８】
また、制御部１００は、記憶部１０１と、経過時間を計時する計時部１０２とを有する。
記憶部１０１には、習熟者モード用のガイド情報と、初心者モード用のガイド情報とが記憶される。ガイド情報としては、例えば機器の動作状態を報知するための音声情報や表示情報が記憶される。例えば、加熱経過時間、火力情報、および火力の情報が記憶される。
制御部１００は、初心者モードにおいて、習熟者モードでのガイド情報に初心者モード用の所定のガイド情報を追加し、習熟者モードでのガイド情報の内容を変更した内容のガイド情報を出力するように、ガイド情報の出力方法を制御する。
【００２９】
スピーカー１１３は、制御部１００からの指示に従い、ガイド情報を音声により出力する。
なお、本実施の形態ではガイド情報をスピーカー１１３からの音声により報知する場合を説明するが、本発明はこれに限るものではない。例えば、ガイド情報を表示部６に表示させるようにしても良い。
なお、「スピーカー１１３」は、本発明における「報知手段」に相当する。
【００３０】
以上、本実施の形態１における加熱調理器の構成について説明した。
次に、本実施の形態１における加熱調理器の動作を説明する。
【００３１】
まず、加熱調理器における加熱調理の手順の概要について説明する。
例えば加熱口４Ｒに鍋などの被加熱物を載置して加熱する場合を考える。
（１）使用者は主電源スイッチ５０をオンにする。これにより制御部１００等に電力が供給される。
（２）使用者は、切入スイッチ５１Ｒ、５１Ｌ、５１Ｇのうち、加熱調理を開始させる加熱手段に対応する切入スイッチ５１を押下する。ここでは、加熱口４Ｒに対応する右ＩＨ操作部５Ｒの切入スイッチ５１Ｒを押下する。これにより、電源部２００からインバーター回路１１０Ｒに電力が供給され、誘導加熱コイル３Ｒが駆動可能な状態（加熱準備状態）となる。また、このとき、例えば火力表示部６１Ｒを青色表示させて、加熱準備状態である旨の表示をする。
（３）使用者は、加熱調理を開始させる加熱手段に対応する火力設定スイッチ５２、または自動調理スイッチ５６を押下する。ここでは、右ＩＨ操作部５Ｒの火力設定スイッチ５２Ｒを押下する。これにより、制御部１００は、インバーター回路１１０Ｒを駆動して誘導加熱コイル３Ｒによる誘導加熱を開始させる。
【００３２】
以降、使用者は、火力設定スイッチ５２Ｒや切タイマースイッチ５３を操作して所望の加熱調理を行う。
そして、加熱調理を終了させる場合には、使用者は切入スイッチ５１Ｒを押下する。これにより、制御部１００は、インバーター回路１１０Ｒの駆動を停止させ、電源部２００からインバーター回路１１０Ｒへの電力供給を停止させる。
【００３３】
次に、上記のように加熱調理器の電源をオンにして加熱調理を開始させる際のモード判定の動作について説明する。
【００３４】
図５は本発明の実施の形態１に係る電源オン時のモード判定処理を示すフローチャートである。
以下、図５の各ステップに基づき説明する。
【００３５】
（Ｓ１０１）
使用者は主電源スイッチ５０をオンにする。これにより制御部１００等に電力が供給される。
制御部１００は、計時部１０２により、経過時間の計時を開始する。
【００３６】
（Ｓ１０２）
制御部１００は、初期設定として初心者モードを選択する。
初心者モードを選択した状態においては、制御部１００は、記憶部１０１から初心者モード用のガイド情報を取得し、当該ガイド情報に従い、動作状態に応じた音声ガイドをスピーカー１１３により出力させる。
【００３７】
（Ｓ１０３）
制御部１００は、右ＩＨ操作部５Ｒの切入スイッチ５１Ｒ、または、左ＩＨ操作部５Ｌの切入スイッチ５１Ｌの何れかのスイッチがオン操作されたか否かを判断する。
何れのスイッチもオフである場合には、ステップＳ１０７に進む。
【００３８】
（Ｓ１０４）
一方、切入スイッチ５１Ｒ、５１Ｌの何れかのスイッチがオン操作された場合、制御部１００は、計時部１０２を参照し、主電源スイッチ５０のオン操作から、切入スイッチ５１Ｒ、５１Ｌの何れかのスイッチがオン操作されるまでの第１の時間ｔ１を計測する。
制御部１００は、計時部１０２の経過時間をリセットし、再び、経過時間の計時を開始する。
なお、「切入スイッチ５１Ｒ、５１Ｌのオン操作」は、本発明における「加熱調理に関する第１の所定操作」に相当する。
【００３９】
（Ｓ１０５）
制御部１００は、火力設定スイッチ５２Ｒ、５２Ｌ、切タイマースイッチ５３、揚げ物スイッチ５４の何れかのスイッチがオンであるか否かを判断する。
何れのスイッチもオフである場合には、ステップＳ１０５を繰り返す。
【００４０】
（Ｓ１０６）
火力設定スイッチ５２Ｒ、５２Ｌ、切タイマースイッチ５３、揚げ物スイッチ５４の何れかのスイッチがオン操作された場合、制御部１００は、計時部１０２を参照し、切入スイッチ５１Ｒ、５１Ｌの何れかのスイッチがオン操作されてから、火力設定スイッチ５２Ｒ、５２Ｌ、切タイマースイッチ５３、揚げ物スイッチ５４の何れかのスイッチがオン操作されるまでの第２の時間ｔ２を計測する。
制御部１００は、計時部１０２の経過時間をリセットし、経過時間の計時を停止する。
なお、「火力設定スイッチ５２Ｒ、５２Ｌ、切タイマースイッチ５３、揚げ物スイッチ５４のオン操作」は、本発明における「加熱調理に関する第２の所定操作」に相当する。
【００４１】
（Ｓ１０７）
上記ステップＳ１０３で、切入スイッチ５１Ｒ、５１Ｌの何れもオフである場合、制御部１００は、グリル操作部５Ｇの切入スイッチ５１Ｇがオンであるか否かを判断する。
切入スイッチ５１Ｇがオフである場合には、ステップＳ１０３に戻る。
【００４２】
（Ｓ１０８）
一方、切入スイッチ５１Ｇがオン操作された場合、制御部１００は、計時部１０２を参照し、主電源スイッチ５０のオン操作から、切入スイッチ５１Ｇがオン操作されるまでの第１の時間ｔ１を計測する。
制御部１００は、計時部１０２の経過時間をリセットし、再び、経過時間の計時を開始する。
なお、「切入スイッチ５１Ｇのオン操作」は、本発明における「加熱調理に関する第１の所定操作」に相当する。
【００４３】
（Ｓ１０９）
制御部１００は、手動調理スイッチ５５、自動調理スイッチ５６の何れかのスイッチがオンであるか否かを判断する。
何れのスイッチもオフである場合には、ステップＳ１０９を繰り返す。
【００４４】
（Ｓ１１０）
手動調理スイッチ５５、自動調理スイッチ５６の何れかのスイッチがオン操作された場合、制御部１００は、計時部１０２を参照し、切入スイッチ５１Ｇがオン操作されてから、手動調理スイッチ５５、自動調理スイッチ５６の何れかのスイッチがオン操作されるまでの第２の時間ｔ２を計測する。
制御部１００は、計時部１０２の経過時間をリセットし、経過時間の計時を停止する。
なお、「手動調理スイッチ５５、自動調理スイッチ５６のオン操作」は、本発明における「加熱調理に関する第２の所定操作」に相当する。
【００４５】
（Ｓ１１１）
次に、制御部１００は、第１の時間ｔ１と第２の時間ｔ２とを加算した合計時間が所定値Ｔａ以上であるか否かを判断する。
ここで所定値Ｔａは、例えば、操作に慣れた習熟者が上記の手順を行うのに想定される時間や、操作に不慣れな初心者が手順を迷いながら上記の手順を行う場合に想定される時間などにより、予め設定する。ここでは例えば所定値Ｔａを１０秒に設定する。
【００４６】
（Ｓ１１２）
第１の時間ｔ１と第２の時間ｔ２とを加算した合計時間が所定値Ｔａ以上の場合、制御部１００は、初心者モードを選択する。
このとき、制御部１００は、選択したモードに関する情報を、スピーカー１１３により使用者に報知させるようにしても良い。
以上により、電源オン時のモード判定処理を終了する。
以降、制御部１００は、選択した最新のモードである初心者モードに応じてガイド情報の出力方法を制御する。つまり、初心者モードを選択した状態においては、制御部１００は、記憶部１０１から初心者モード用のガイド情報を取得し、当該ガイド情報に従い、動作状態に応じた音声ガイドをスピーカー１１３により出力させる。
【００４７】
（Ｓ１１３）
一方、第１の時間ｔ１と第２の時間ｔ２とを加算した合計時間が所定値Ｔａ未満の場合、制御部１００は、習熟者モードを選択する。
このとき、制御部１００は、選択したモードに関する情報を、スピーカー１１３により使用者に報知させるようにしても良い。
以上により、電源オン時のモード判定処理を終了する。
以降、制御部１００は、選択した最新のモードである習熟者モードに応じてガイド情報の出力方法を制御する。つまり、習熟者モードを選択した状態においては、制御部１００は、記憶部１０１から習熟者モード用のガイド情報を取得し、当該ガイド情報に従い、動作状態に応じた音声ガイドをスピーカー１１３により出力させる。
【００４８】
なお、本実施の形態１では、ステップＳ１１１において、第１の時間ｔ１と第２の時間ｔ２とを加算した合計時間と、所定値Ｔａとの比較をする場合を説明したが本発明はこれに限るものではない。
例えば、第１の時間ｔ１および第２の時間ｔ２と選択するモードとを対応させたテーブル等を予め記憶し、これを参照することでモードの選択をしても良い。また例えば、第１の時間ｔ１、第２の時間ｔ２の何れかまたは双方に、所定の係数を乗算して重み付けを行う等しても良い。
【００４９】
なお、本実施の形態１では、各加熱手段を駆動可能な状態（加熱準備状態）とする切入スイッチ５１Ｒ、５１Ｌ、５１Ｇの操作を、本発明の「第１の所定操作」とし、当該加熱準備状態にある加熱手段の設定操作である、火力設定スイッチ５２Ｒ、５２Ｌ、切タイマースイッチ５３、揚げ物スイッチ５４、手動調理スイッチ５５、自動調理スイッチ５６の操作を、本発明の「第２の所定操作」としたが、本発明はこれに限るものではない。
例えば、主電源スイッチ５０の後に操作された任意のスイッチを「第１の所定操作」とし、当該任意のスイッチの次に操作が可能となるスイッチを「第２の所定操作」としても良い。例えば、調理モードを設定するメニュースイッチが設けられた構成において、メニュースイッチのオン操作を「第１の所定操作」とし、当該メニューにおける調理モードの設定操作を「第２の所定操作」としても良い。
【００５０】
なお、本実施の形態１では、ステップＳ１０２において、初期設定として初心者モードを選択する場合を説明したが、本発明はこれに限るものではない。
例えば、制御部１００は、主電源スイッチ５０がオン操作されたあと、ステップＳ１０２において、習熟者モードを選択するようにしても良い。
また例えば、記憶部１０１を不揮発性メモリ等により構成し、制御部１００が選択した初心者モードまたは習熟者モードの何れかのモードの情報をこの記憶部１０１に記憶するようにし、制御部１００は、主電源スイッチ５０がオン操作されたあと、ステップＳ１０２において、記憶部１０１に記憶されたモードを選択するようにしても良い。
【００５１】
なお、本実施の形態１では、第１の時間ｔ１と第２の時間ｔ２とに応じてモードを選択する場合を説明したが、本発明はこれに限るものではない。
例えば、制御部１００は、操作スイッチにより加熱調理に関する第１の所定操作が入力されてから、操作スイッチにより加熱調理に関する第２の所定操作が入力されるまでの時間に応じて、初心者モードまたは習熟者モードを選択するようにしても良い。
つまり、上記フローチャート中のステップＳ１０４、Ｓ１０８を省略し、ステップＳ１１１において、第２の時間ｔ２のみに応じて、モードを選択するようにしても良い。
【００５２】
以上のように本実施の形態においては、加熱調理に関する操作の時間に応じて初心者モードまたは習熟者モードを選択する。
このため、使用者による通常の加熱調理の操作により、使用者にとって適切なガイド機能のモードを設定することができる。
また、使用者は自身で習熟度を判断して、モードを切り替えるための操作を行う必要がない。よって、使用者が自身の習熟度を判断できない場合であっても、使用者にとって適切なガイド機能のモードを設定することができる。
また、ガイド機能のモードを設定するためだけに別途スイッチを設ける必要がなく、コストの軽減を図ることができる。
また、使用者は、ガイド機能のモードを設定するための操作を行う必要がないので、操作性を向上させることができる。
【００５３】
実施の形態２．
上記実施の形態１では、加熱調理器の電源をオンにして加熱調理を開始させる際のモード判定の動作について説明した。
本実施の形態２においては、上述した電源のオン時のモード判定のあと、さらに、ガイド機能のモードを選択する動作について説明する。
なお、本実施の形態２における加熱調理器の構成は、上記実施の形態１と同様であり、同一部分には同一の符号を付する。
【００５４】
本実施の形態２においても、主電源スイッチ５０がオンされた際、上述した電源オン時のモード判定処理（図５）を行う。本実施の形態２における制御部１００は、上記ステップＳ１０４およびＳ１０８において、計測した第１の時間ｔ１を記憶する。
なお、電源オン時のモード判定処理のその他の動作は上記実施の形態１と同様である。
【００５５】
本実施の形態２では、例えば任意の加熱手段により加熱調理を開始させた後、他の加熱手段による加熱調理を行う場合や、任意の加熱手段による加熱調理を停止した後、再び当該加熱手段による加熱調理を行う場合など、上述した電源のオン時のモード判定のあと、さらに、ガイド機能のモードを選択する動作を行う。
以下、本実施の形態２における加熱調理器の動作を説明する。
【００５６】
図６は本発明の実施の形態２に係る調理中のモード判定処理を示すフローチャートである。
以下、図６の各ステップに基づき説明する。
【００５７】
（Ｓ２０１）
制御部１００は、右ＩＨ操作部５Ｒの切入スイッチ５１Ｒ、または、左ＩＨ操作部５Ｌの切入スイッチ５１Ｌの何れかのスイッチがオン操作されたか否かを判断する。
何れのスイッチもオン操作がない場合には、ステップＳ２０４に進む。
【００５８】
なお、本実施の形態２の調理中のモード判定処理における「切入スイッチ５１Ｒ、５１Ｌのオン操作」は、本発明における「加熱調理に関する第３の所定操作」に相当する。
【００５９】
（Ｓ２０２）
切入スイッチ５１Ｒ、５１Ｌの何れかのスイッチがオン操作された場合、制御部１００は、計時部１０２により、経過時間の計時を開始する。
また、制御部１００は、火力設定スイッチ５２Ｒ、５２Ｌ、切タイマースイッチ５３、揚げ物スイッチ５４の何れかのスイッチがオン操作されたか否かを判断する。
何れのスイッチもオン操作がない場合には、ステップＳ２０２を繰り返す。
【００６０】
（Ｓ２０３）
火力設定スイッチ５２Ｒ、５２Ｌ、切タイマースイッチ５３、揚げ物スイッチ５４の何れかのスイッチがオン操作された場合、制御部１００は、計時部１０２を参照し、切入スイッチ５１Ｒ、５１Ｌの何れかのスイッチがオン操作されてから、火力設定スイッチ５２Ｒ、５２Ｌ、切タイマースイッチ５３、揚げ物スイッチ５４の何れかのスイッチがオン操作されるまでの第３の時間ｔ３を計測する。
制御部１００は、計時部１０２の経過時間をリセットし、経過時間の計時を停止する。
【００６１】
なお、本実施の形態２の調理中のモード判定処理における「火力設定スイッチ５２Ｒ、５２Ｌ、切タイマースイッチ５３、揚げ物スイッチ５４のオン操作」は、本発明における「加熱調理に関する第４の所定操作」に相当する。
【００６２】
（Ｓ２０４）
上記ステップＳ２０１で、切入スイッチ５１Ｒ、５１Ｌの何れからのオン操作がない場合、制御部１００は、グリル操作部５Ｇの切入スイッチ５１Ｇがオン操作されたか否かを判断する。
切入スイッチ５１Ｇのオン操作がない場合には、ステップＳ２０１に戻る。
【００６３】
なお、本実施の形態２の調理中のモード判定処理における「切入スイッチ５１Ｇのオン操作」は、本発明における「加熱調理に関する第３の所定操作」に相当する。
【００６４】
（Ｓ２０５）
一方、切入スイッチ５１Ｇがオン操作された場合、制御部１００は、計時部１０２により、経過時間の計時を開始する。
また、制御部１００は、手動調理スイッチ５５、自動調理スイッチ５６の何れかのスイッチがオン操作されたか否かを判断する。
何れのスイッチもオン操作がない場合には、ステップＳ２０５を繰り返す。
【００６５】
（Ｓ２０６）
手動調理スイッチ５５、自動調理スイッチ５６の何れかのスイッチがオン操作された場合、制御部１００は、計時部１０２を参照し、切入スイッチ５１Ｇがオン操作されてから、手動調理スイッチ５５、自動調理スイッチ５６の何れかのスイッチがオン操作されるまでの第３の時間ｔ３を計測する。
制御部１００は、計時部１０２の経過時間をリセットし、経過時間の計時を停止する。
【００６６】
なお、本実施の形態２の調理中のモード判定処理における「手動調理スイッチ５５、自動調理スイッチ５６のオン操作」は、本発明における「加熱調理に関する第４の所定操作」に相当する。
【００６７】
（Ｓ２０７）
次に、制御部１００は、電源オン時のモード判定処理で計測した第１の時間ｔ１と、上記ステップＳ２０３またはＳ２０６で計測した第３の時間ｔ３とを加算した合計時間が所定値Ｔｂ以上であるか否かを判断する。
ここで所定値Ｔｂは、例えば、操作に慣れた習熟者が上記の手順を行うのに想定される時間や、操作に不慣れな初心者が手順を迷いながら上記の手順を行う場合に想定される時間などにより、予め設定する。ここでは例えば所定値Ｔｂを１０秒に設定する。
【００６８】
（Ｓ２０８）
第１の時間ｔ１と第３の時間ｔ３とを加算した合計時間が所定値Ｔｂ以上の場合、制御部１００は、初心者モードを選択する。そして、ステップＳ２０１に戻り、上記の動作を繰り返す。
このとき、制御部１００は、選択したモードに関する情報を、スピーカー１１３により使用者に報知させるようにしても良い。
以降、制御部１００は、選択した最新のモードである初心者モードに応じてガイド情報の出力方法を制御する。つまり、初心者モードを選択した状態においては、制御部１００は、記憶部１０１から初心者モード用のガイド情報を取得し、当該ガイド情報に従い、動作状態に応じた音声ガイドをスピーカー１１３により出力させる。
【００６９】
（Ｓ２０９）
一方、第１の時間ｔ１と第３の時間ｔ３とを加算した合計時間が所定値Ｔｂ未満の場合、制御部１００は、習熟者モードを選択する。そして、ステップＳ２０１に戻り、上記の動作を繰り返す。
このとき、制御部１００は、選択したモードに関する情報を、スピーカー１１３により使用者に報知させるようにしても良い。
以降、制御部１００は、選択した最新のモードである習熟者モードに応じてガイド情報の出力方法を制御する。つまり、習熟者モードを選択した状態においては、制御部１００は、記憶部１０１から習熟者モード用のガイド情報を取得し、当該ガイド情報に従い、動作状態に応じた音声ガイドをスピーカー１１３により出力させる。
【００７０】
なお、本実施の形態２では、調理中のモード判定処理実行中において、各加熱手段を駆動可能な状態（加熱準備状態）とする切入スイッチ５１Ｒ、５１Ｌ、５１Ｇの操作を、本発明の「第３の所定操作」とし、当該加熱準備状態にある加熱手段の設定操作である、火力設定スイッチ５２Ｒ、５２Ｌ、切タイマースイッチ５３、揚げ物スイッチ５４、手動調理スイッチ５５、自動調理スイッチ５６の操作を、本発明の「第４の所定操作」としたが、本発明はこれに限るものではない。
例えば、任意の加熱手段により加熱調理を開始した後や、任意の加熱手段の加熱調理を終了させた後に操作された任意のスイッチを「第３の所定操作」とし、当該任意のスイッチの次に操作が可能となるスイッチを「第４の所定操作」としても良い。例えば、調理モードを設定するメニュースイッチが設けられた構成において、メニュースイッチのオン操作を「第３の所定操作」とし、当該メニューにおける調理モードの設定操作を「第４の所定操作」としても良い。
【００７１】
なお、本実施の形態２では、第１の時間ｔ１と第３の時間ｔ３とに応じてモードを選択する場合を説明したが、本発明はこれに限るものではない。
例えば、制御部１００は、上述した電源オン時のモード判定処理（図５）により初心者モードまたは習熟者モードを選択した後、操作スイッチにより加熱調理に関する第３の所定操作が入力され、操作スイッチにより加熱調理に関する第４の所定操作が入力された場合、第３の所定操作が入力されてから第４の所定操作が入力されるまでの時間に応じて、再度、初心者モードまたは習熟者モードを選択するようにしても良い。
つまり、上記フローチャート（図６）中のステップＳ２０８において、第３の時間ｔ３のみに応じて、モードを選択するようにしても良い。
【００７２】
以上のように本実施の形態においては、初心者モードまたは習熟者モードを選択した後、再度、加熱調理に関する操作の時間に応じて初心者モードまたは習熟者モードを選択する。
このため、例えば加熱口４Ｒ、４Ｌに対応する右ＩＨ操作部５Ｒや左ＩＨ操作部５Ｌの操作に慣れた使用者であるが、グリル操作部５Ｇの操作には慣れていない使用者の場合など、一部の操作の習熟度が異なる場合であっても、使用者にとって適切なガイド機能のモードを設定することができる。
【００７３】
実施の形態３．
本実施の形態３では、習熟者モードを選択した状態において、操作スイッチが誤操作された場合には、使用者の習熟度が低いと判断して初心者モードを選択する形態について説明する。
なお、本実施の形態３における加熱調理器の構成は、上記実施の形態１と同様であり、同一部分には同一の符号を付する。
【００７４】
本実施の形態３における制御部１００は、上記実施の形態１または２と同様の動作により、初心者モードまたは習熟者モードを選択する。
そして、習熟者モードを選択している状態において、各操作スイッチのうち、任意の操作スイッチが操作された後、当該操作スイッチの次に操作が可能となる１または複数の操作スイッチ以外の操作スイッチが操作されたとき、初心者モードを選択する。
【００７５】
例えば、右ＩＨ操作部５Ｒの切入スイッチ５１Ｒがオン操作された後、次に操作が可能となる操作スイッチは、火力設定スイッチ５２Ｒと切タイマースイッチ５３である。
この場合には、火力設定スイッチ５２Ｌ、揚げ物スイッチ５４、手動調理スイッチ５５、または自動調理スイッチ５６をオン操作しても当該機能を実行しない状態である（不許可状態）。
このように、ある操作スイッチがオン操作された後に、不許可状態にある操作スイッチが操作された場合には、制御部１００は、誤操作されたと判断して、初心者モードを選択する。
以降、初心者モードを選択した状態においては、制御部１００は、記憶部１０１から初心者モード用のガイド情報を取得し、当該ガイド情報に従い、動作状態に応じた音声ガイドをスピーカー１１３により出力させる。
【００７６】
なお、上記の説明では、不許可状態にある操作スイッチが１回でも操作されたときに、初心者モードを選択する場合を説明したが、これに限らず、例えば、不許可状態にある操作スイッチが操作された回数をカウントし、所定回数を超えた場合には、初心者モードを選択するようにしても良い。また例えば、誤操作を連続して行った場合には、初心者モードを選択するようにしても良い。
【００７７】
以上のように本実施の形態においては、習熟者モードを選択している状態において、各操作スイッチのうち、任意の操作スイッチが操作された後、当該操作スイッチの次に操作が可能となる１または複数の操作スイッチ以外の操作スイッチが操作されたとき、初心者モードを選択する。
このため、誤操作された場合には、使用者が操作に慣れていないと判断して、初心者モードを設定することができる。よって、使用者にとって適切なガイド機能のモードを設定することができる。
【００７８】
実施の形態４．
本実施の形態４では、習熟者モードに複数の習熟度レベルを設け、習熟度レベルに応じてガイド情報の出力方法を制御する形態について説明する。
なお、本実施の形態４における加熱調理器の構成は、上記実施の形態１と同様であり、同一部分には同一の符号を付する。
【００７９】
本実施の形態における制御部１００は、上記実施の形態１〜３の何れかと同様の動作により、初心者モードまたは習熟者モードを選択する。
また、制御部１００は、習熟者モードを選択している場合、操作スイッチによる加熱調理に関する操作の時間間隔に応じて、複数の習熟度レベルの何れかを選択する。そして、選択した習熟者モードの習熟度レベルに応じて、ガイド情報の出力方法を制御する。
【００８０】
本実施の形態４では、例えば習熟度レベルとしてレベル１とレベル２の２段階に設定する。
ここで、習熟度レベル１とは、記憶部１０１に記憶された、習熟者モード用のガイド情報の全てを出力するモードである。また、習熟度レベル２とは、習熟者モード用のガイド情報のうち、使用頻度の低い操作や警告情報など一部のみを出力するモードである。すなわち、レベル１と比較してレベル２は、より操作に慣れた使用者に適したモードである。
【００８１】
本実施の形態４における制御部１００は、上述した電源オン時のモード判定処理（図５）を実行した場合、ステップＳ１１１における第１の時間と第２の時間とを合算した合計時間に応じて習熟度レベルを設定する。例えば合計時間が５秒以上１０秒未満の場合には、習熟度レベル１を設定する。また例えば合計時間が１秒以上５秒未満の場合は、より操作に慣れた使用者であると判断して習熟度レベル２を設定する。
また、制御部１００は、上述した調理中のモード判定処理（図６）を実行した場合、ステップＳ２０７における第１の時間と第３の時間とを合算した合計時間に応じて習熟度レベルを設定する。例えば合計時間が５秒以上１０秒未満の場合には、習熟度レベル１を設定する。また例えば合計時間が１秒以上５秒未満の場合は、より操作に慣れた使用者であると判断して習熟度レベル２を設定する。
なお、制御部１００は、選択した習熟度レベルに関する情報を、スピーカー１１３により使用者に報知させるようにしても良い。
【００８２】
なお、習熟度レベルを判定する時間は上記に限るものではない、例えば第１の時間、第２の時間、第３の時間の何れか１つの時間により、習熟度レベルを判定しても良い。
また、習熟度レベルは２段以上の任意の数を設定するようにしても良い。
【００８３】
以上のように本実施の形態においては、習熟者モードを選択している場合、操作スイッチによる加熱調理に関する操作の時間間隔に応じて、複数の習熟度レベルの何れかを選択し、選択した習熟者モードの習熟度レベルに応じて、ガイド情報の出力方法を制御する。
このため、上記実施の形態１〜３の効果に加え、使用者の習熟度に応じた、適切なガイド情報を出力することができる。
【００８４】
実施の形態５．
図７は本発明の実施の形態５に係る操作部を示す図である。
本実施の形態５においては、上記実施の形態１の構成に加え、操作スイッチの下方または近傍に配置された表示灯を備えている。
図７に示すように、主電源スイッチ５０の下方には、ＬＥＤ６６が設けられている。
切入スイッチ５１Ｒ、５１Ｌ、５１Ｇの下方には、それぞれ、ＬＥＤ６７Ｒ、６７Ｌ、６７Ｇが設けられている。
なお、「ＬＥＤ６６、６７Ｒ、６７Ｌ、６７Ｇ」は、本発明における「表示灯」に相当する。以下、これらのＬＥＤを「表示灯」ともいう。
なお、本実施の形態５ではＬＥＤを用いるが本発明はこれに限らず、任意の発光素子等を表示灯として用いることができる。
【００８５】
本実施の形態５における操作スイッチは、表示灯の配置位置に対応する部分の少なくとも一部が、透明性または半透明性を有するように形成され、表示灯からの光の少なくとも一部を透過するように形成されている。
【００８６】
また、本実施の形態５における表示部駆動回路１１２は、制御部１００からの指示に従い、ＬＥＤ６６、６７Ｒ、６７Ｌ、６７Ｇを、それぞれ駆動する。
なお、その他の構成は上記実施の形態１と同様であり、同一部分には同一の符号を付する。
【００８７】
このような構成により、制御部１００は、上記実施の形態１〜４の何れかと同様の動作により、初心者モードまたは習熟者モードを選択する。
そして、初心者モードを選択した状態において、各操作スイッチのうち、任意の操作スイッチが操作された後、当該操作スイッチの次に操作が可能となる１または複数の操作スイッチの表示灯を、点灯または点滅させる。
【００８８】
以下、加熱調理を開始する操作を例に説明する。
例えば加熱口４Ｒによる加熱調理の開始操作がされる場合の動作について説明する。
（１）加熱調理器に商用電源が供給されると、制御部１００は、主電源スイッチ５０のＬＥＤ６６を点灯させる。使用者は、ＬＥＤ６６の点灯に従い、主電源スイッチ５０をオンにする。
【００８９】
（２）制御部１００は、上記実施の形態１と同様の動作により、初期設定として初心者モードを選択する。初心者モードにおいて制御部１００は、次に操作が可能となる、切入スイッチ５１Ｒ、５１Ｌ、５１ＧのＬＥＤ６７Ｒ、６７Ｌ、６７Ｇを、それぞれ点滅させる。これにより、使用者は、次の順序となる操作スイッチが切入スイッチ５１Ｒ、５１Ｌ、５１Ｇの何れかであると認識することができる。
【００９０】
使用者は、ＬＥＤ６７Ｒ、６７Ｌ、６７Ｇの点滅に従い、切入スイッチ５１Ｒ、５１Ｌ、５１Ｇのうち、加熱調理を開始させる加熱手段に対応する切入スイッチ５１を押下する。ここでは、例えば、加熱口４Ｒに対応する右ＩＨ操作部５Ｒの切入スイッチ５１Ｒを押下する。
そして、制御部１００は、ＬＥＤ６７Ｒ、６７Ｌ、６７Ｇのうち、押下された切入スイッチ５１Ｒに対応するＬＥＤ６７Ｒのみを点灯させる。このようにＬＥＤ６７Ｒのみを点灯することにより、右ＩＨ操作部５Ｒの各操作スイッチが操作可能なスイッチであると認識することができる。
【００９１】
（３）使用者は、右ＩＨ操作部５Ｒの火力設定スイッチ５２Ｒを押下する。これにより、制御部１００は、インバーター回路１１０Ｒを駆動して誘導加熱コイル３Ｒによる誘導加熱を開始させる。
【００９２】
以上のように本実施の形態においては、初心者モードを選択した状態において、各操作スイッチのうち、任意の操作スイッチが操作された後、当該操作スイッチの次に操作が可能となる１または複数の操作スイッチの表示灯を、点灯または点滅させる。
このため、上記実施の形態１〜４の効果に加え、表示灯により操作のガイドを行うことができ、操作に不慣れな初心者による操作順序の迷いや誤操作を低減することができる。よって、使用者にとって適切な操作のガイド機能を提供でき、さらに使い勝手を向上することができる。
【００９３】
なお、上記実施の形態１〜５では、加熱手段としての誘導加熱コイルに高周波電流を流して誘導加熱を行う加熱調理器について説明したが、本発明はこれに限るものではなく、例えば、輻射によって加熱する輻射型熱源を用いる電気ヒーター（例えばニクロム線やハロゲンヒーター、ラジエントヒーター）を用いるようにしても良い。
【符号の説明】
【００９４】
１  本体、２  トッププレート、３Ｌ  誘導加熱コイル、３Ｒ  誘導加熱コイル、４Ｌ  加熱口、４Ｒ  加熱口、５  操作部、５Ｒ  右ＩＨ操作部、５Ｌ  左ＩＨ操作部、５Ｇ  グリル操作部、６  表示部、２０Ｒ  吸気口、２０Ｌ  吸気口、２１  排気口、２２  カバー、３０  グリル庫、３１  グリルヒーター、３２  グリル扉、３３  視認窓、３４  グリル把持部、５０  主電源スイッチ、５１Ｇ  切入スイッチ、５１Ｌ  切入スイッチ、５１Ｒ  切入スイッチ、５２Ｌ  火力設定スイッチ、５２Ｒ  火力設定スイッチ、５３  切タイマースイッチ、５４  揚げ物スイッチ、５５  手動調理スイッチ、５６  自動調理スイッチ、６０  中央表示部、６１Ｌ  火力表示部、６１Ｒ  火力表示部、６２Ｌ  左表示部、６２Ｒ  右表示部、６６  ＬＥＤ、６７Ｒ  ＬＥＤ、６７Ｌ  ＬＥＤ、６７Ｇ  ＬＥＤ、１００  制御部、１０１  記憶部、１０２  計時部、１１０Ｌ  インバーター回路、１１０Ｒ  インバーター回路、１１１  グリルヒーター駆動回路、１１２  表示部駆動回路、１１３  スピーカー、２００  電源部。
【図１】
0005601901.tif 000002
【図２】
0005601901.tif 000003
【図３】
0005601901.tif 000004
【図４】
0005601901.tif 000005
【図５】
0005601901.tif 000006
【図６】
0005601901.tif 000007
【図７】
0005601901.tif 000008